(57)【要約】【課題】  コンピュータマウスのカバー板止め合わせ装置の提供。【解決手段】  無線式コンピュータマウスのカバー板と中座カバーを相互に接続する止め合わせ装置であり、中座カバーに一対の固定柱が設けられ、カバー板に該中座カバーの固定柱に嵌合される一対の軸孔が設けられ、これによりカバー板が該固定柱を回転中心軸として回して起こされるか中座カバーの電池収容溝を被覆する。ボタンと中座カバーの間にボタンを回復させる回復バネが設けられている。カバー板が中座カバーの上に閉じ合わされる時、該カバー板が係止部がボタンの係止溝内に係合されえて、カバー板が中座カバーに緊密に結合される。ボタンが内向きに押される時、カバー板の係止部がボタンの係止溝内より離脱し、カバー板が弾性部品の弾力を受けて上向きに開放され、中座カバーの電池出し入れ端より電池を電池収容溝内から取り出して交換できる。【選択図】        図２
0003108965.tif 000002
【実用新案登録請求の範囲】
【請求項１】
コンピュータマウスのカバー板止め合わせ装置において、
底座と、
中座カバーであり、一対の固定柱を具え、該中座カバーの一側が電池出入側とされた、上記中座カバーと、
少なくとも一つの電池収容溝であり、該中座カバーに形成されて電池を収容し、且つ該電池が中座カバーの電池出入側より出し入れ可能である、上記少なくとも一つの電池収容溝と、
カバー板であり、一対の軸孔を具え、該軸孔が該中座カバーの固定柱に嵌合されて該カバー板が該固定柱を回転中心軸として開放操作されるか或いは中座カバーの電池収容溝を被覆し、該カバー板の内側壁面に一対の係止部が形成された、上記カバー板と、
ボタンであり、該中座カバーの電池出入側に設置され、該ボタンが係止溝を具え、カバー板が中座カバーに閉じ合わされる時、該カバー板の係止部がボタンの係止溝内にスライドして係合し、カバー板を緊密に中座カバーに結合させる、上記ボタンと、
を具え、ボタンが内向きに押圧される時、カバー板の係止部がボタンの係止溝内より離脱し、カバー板が上向きに開放させられ、中座カバーの電池出入側より電池が電池収容溝内より取り出され交換されることを特徴とする、コンピュータマウスのカバー板止め合わせ装置。
【請求項２】
請求項１記載のコンピュータマウスのカバー板止め合わせ装置において、中座カバーとカバー板の間に上向きの弾力をカバー板に提供する弾性部品が配置されたことを特徴とする、コンピュータマウスのカバー板止め合わせ装置。
【請求項３】
請求項１記載のコンピュータマウスのカバー板止め合わせ装置において、中座カバーと底座の間にボタンを収容する開放溝が形成され、ボタンが該開放溝内で押圧操作を受けて前後にスライドすることを特徴とする、コンピュータマウスのカバー板止め合わせ装置。
【請求項４】
請求項１記載のコンピュータマウスのカバー板止め合わせ装置において、ボタンと中座カバーの当接面の間にボタンを回復させる回復バネが設けられたことを特徴とする、コンピュータマウスのカバー板止め合わせ装置。
【考案の詳細な説明】
【技術分野】
【０００１】
本考案はコンピュータマウスの構造に係り、特に、一種のコンピュータマウスのカバー板止め合わせ構造に関する。
【背景技術】
【０００２】
一般にコンピュータに使用されるコンピュータマウスは、配備が必要な周辺装置であり、コンピュータマウスの移動操作によりコンピュータスクリーン上のカーソル位置を制御することができる。使用されるのが有線式マウスであれば、マウスとコンピュータの間は信号伝送線で接続され、これによりコンピュータマウスの操作信号がコンピュータ内に伝送される。
【０００３】
上述の有線式マウスとコンピュータ合わせ装置の信号伝送線による接続方式は、信号伝送線がマウスの移動に伴い卓上を移動するため、信号伝送線が卓上の物品の配置の妨げとなり、並びにマウス後面に接続された信号伝送線がマウス移動の抵抗を増し、ゆえに、市場では有線式マウスの使用上の欠点を解決するため、信号伝送線を使用しない無線式マウスが広く推奨、使用されている。
【０００４】
無線式マウスはマウス本体内に発射／受信アンテナ、搬送波ジェネレータ、アンテナ駆動増幅器、検波器、比較器、デコーダ等の無線回路装置が、それぞれ回路基板上に固定され並びにマウス本体内に取り付けられ、回路基板上の発射／受信アンテナにより、マウス信号が無線電波を利用した伝送方式でコンピュータの受信器に送られて、コンピュータの操作を制御する。
【考案の開示】
【考案が解決しようとする課題】
【０００５】
上述の無線式マウスはマウス信号発射時に、マウス内に取り付けられた電池により作業電圧を提供する必要がある。しかし、このような無線式マウスに取り付けられる電池は、電気エネルギーが無くなって交換しようとする時、ドライバーを使ってマウス本体の上下ケースを螺子止めしているネジを外し、上ケースと下ケースを分離してカバー板と中座カバーを分離させた後でなければ内部の電池を取り出せず、その間の分解動作が内部の回路装置を傷つけやすく、また部品を失いやすい。
【０００６】
上述の無線式マウスの電池交換の過程を観察すると、工具を使用してネジを外し、またカバー板と中座カバーを分離させなければならないため、時間と手間がかかり、且つ部品を失いやすく、不便であり、並びにマウスの上ケースと下ケースの分解時にケース内に収容された無線回路装置の安全性に影響を及ぼす恐れがあり、操作に不注意があると無線回路装置の部品を傷つけたり部品を失う事があり、このために全体の無線式マウスが使用不能となることもある。
【０００７】
以上の無線式マウスの分解して電池交換が行ないにくい欠点と、分解時に内部に収容された無線回路装置を傷つけたり部品を失ったりする欠点を鑑み、本考案はこの欠点を改良するコンピュータマウスのカバー板止め合わせ装置を提供するものである。
【０００８】
本考案の主要な目的は、コンピュータマウスのカバー板止め合わせ装置を提供することにあり、それは、手指でボタンを押すだけで、カバー板を上向きに弾性開放させることができ、分解不要で、電池交換に便利であり、電池交換操作が滑らかに行なえ、且つ時間を節約できるものとする。
【０００９】
本考案のもう一つの目的は、コンピュータマウスのカバー板止め合わせ装置を提供することにあり、それは、手指でボタンを押すことでカバー板を弾性開放させられ、全体の電池交換の過程で内部に収容された無線回路装置に接触することがなく、部品を失うことがなく、これによりマウスの使用の安全性を高められるものとする。
【課題を解決するための手段】
【００１０】
請求項１の考案は、コンピュータマウスのカバー板止め合わせ装置において、
底座と、
中座カバーであり、一対の固定柱を具え、該中座カバーの一側が電池出入側とされた、上記中座カバーと、
少なくとも一つの電池収容溝であり、該中座カバーに形成されて電池を収容し、且つ該電池が中座カバーの電池出入側より出し入れ可能である、上記少なくとも一つの電池収容溝と、
カバー板であり、一対の軸孔を具え、該軸孔が該中座カバーの固定柱に嵌合されて該カバー板が該固定柱を回転中心軸として開放操作されるか或いは中座カバーの電池収容溝を被覆し、該カバー板の内側壁面に一対の係止部が形成された、上記カバー板と、
ボタンであり、該中座カバーの電池出入側に設置され、該ボタンが係止溝を具え、カバー板が中座カバーに閉じ合わされる時、該カバー板の係止部がボタンの係止溝内にスライドして係合し、カバー板を緊密に中座カバーに結合させる、上記ボタンと、
を具え、ボタンが内向きに押圧される時、カバー板の係止部がボタンの係止溝内より離脱し、カバー板が上向きに開放させられ、中座カバーの電池出入側より電池が電池収容溝内より取り出され交換されることを特徴とする、コンピュータマウスのカバー板止め合わせ装置としている。
請求項２の考案は、請求項１記載のコンピュータマウスのカバー板止め合わせ装置において、中座カバーとカバー板の間に上向きの弾力をカバー板に提供する弾性部品が配置されたことを特徴とする、コンピュータマウスのカバー板止め合わせ装置としている。
請求項３の考案は、請求項１記載のコンピュータマウスのカバー板止め合わせ装置において、中座カバーと底座の間にボタンを収容する開放溝が形成され、ボタンが該開放溝内で押圧操作を受けて前後にスライドすることを特徴とする、コンピュータマウスのカバー板止め合わせ装置としている。
請求項４の考案は、請求項１記載のコンピュータマウスのカバー板止め合わせ装置において、ボタンと中座カバーの当接面の間にボタンを回復させる回復バネが設けられたことを特徴とする、コンピュータマウスのカバー板止め合わせ装置としている。
【考案の効果】
【００１１】
本考案は従来の無線式マウスの電池交換時の、工具を使用してネジを外してカバー板と中座カバーを分離するのに時間と手間がかかり、部品を失いやすく、回路を傷つけやすい欠点を解決している。本考案は電池交換の過程で、工具を必要とせず、部品を取り外す必要がなく、これにより便利で、快速で安全な長所を有している。
【考案を実施するための最良の形態】
【００１２】
本考案は無線式マウスの中座カバーに一対の固定柱が設けられ、カバー板に一対の軸孔が設けられ、該軸孔が対応する中座カバーの固定柱に嵌合され、カバー板が固定柱を中心として操作を受けて回転して開放されるか或いは中座カバーの電池収容溝を遮蔽できるものとされる。ボタンが中座カバーの電池出入側に設置され、該ボタンは係止溝を具え、且つボタンと中座カバーの間にボタンを回復させる回復バネが設けられている。カバー板が中座カバーの上に閉じ合わされる時、該カバー板の係止部がボタンの係止溝内にスライドして係合し、カバー板を緊密に中座カバーに係止する。ボタンが内向きに押される時、カバー板の係止部がボタンの係止溝より離脱し、カバー板が弾性部品の弾力を受けて上向きに開放され、中座カバーの電池出入側より電池を電池収容溝に出し入れして交換できる。
【実施例１】
【００１３】
図１は本考案の止め合わせ装置を配置したコンピュータマウスの立体図である。図２は本考案を応用したコンピュータマウスの関係部品分離時の立体分解図である。図示されるように、本考案を運用したコンピュータマウスは、回路基板１０を具え、該回路基板１０上に周知のコンピュータマウス制御回路の電子部品、集積回路、機構アセンブリ等が配置されている。該回路基板１０に関係アセンブリが組付けられた後、中座カバー１１の底部に組付けられ、最後に底座１３が組付けられ、回路基板１０が中座カバー１１と底座１３間に形成された空間中に結合、位置決めされる。
【００１４】
該中座カバー１１の上面に中座凸体１１１が形成され、並びに該中座凸体１１１の両側壁面に水平方向に突出する一対の固定柱１１０ａと１１０ｂが設けられ、該固定柱１１０ａと１１０ｂの機能は一対の固定回転軸とされてカバー板１４の枢設に供されることである。
【００１５】
図３及び図４は、カバー板１４の底面立体図及び中座カバー１１の後面立体図である。図５は図２の中座カバー１１の底面立体図である。図６は図２の中座カバー１１の別の底面立体図である。該カバー板１４の一側より一対の延伸アーム１４２ａ、１４２ｂが延伸され、並びに該延伸アーム１４２ａ、１４２ｂの前端にそれぞれ軸孔１４１ａ、１４１ｂが形成されている。該カバー板１４の軸孔１４１ａ、１４１ｂは中座カバー１１の中座凸体１１１の固定柱１１０ａと１１０ｂに嵌合され、これによりカバー板１４が該固定柱１１０ａと１１０ｂを回転中心軸として、使用者の操作を受けて開放されるか或いは中座カバー１１の電池出入側１１ａを被覆する。
【００１６】
カバー板１４が固定柱１１０ａと１１０ｂを回転中心軸として回して起こされる時、その回転の最大角はカバー板１４の延伸アーム１４２ａ、１４２ｂと中座カバー１１上の位置制限角１１２ａと１１２ｂにより決定される。
【００１７】
カバー板１４が中座カバー１１の固定柱１１０ａと１１０ｂの回りを回転する動力は弾性部品１５により提供される。該弾性部品１５はカバー板接触セクション１５１、パワーアームセクション１５２、挿入位置決め端１５３、及びコイル状構造１５４を具え、そのうち、カバー板接触セクション１５１は円弧状の構造とされるのがよく、カバー板１４の内壁面の溝１４３内に緊密に当接する。弾性部品１５の挿入位置決め端１５３は中座カバー１１に設けられた孔１１５内に挿入されて、これにより弾性部品１５が該中座カバー１１に結合、位置決めされる。弾性部品１５のパワーアームセクション１５２と中座カバー１１の後部の斜面１１４は緊密に当接する。
【００１８】
上述の配置により、カバー板１４が中座カバー１１の固定柱１１０ａと１１０ｂの回りを回転する時、弾性部品１５のカバー板接触セクション１５１とパワーアームセクション１５２の間の相対張角がこれにより小から大、或いは大から小に変化し、これにより弾力を発生しカバー板１４に印加する。
【００１９】
該中座カバー１１の電池出入側１１ａにボタン１６が設置され、該ボタン１６の位置は中座カバー１１の底端と底座１３の間に形成された開放溝１３１中とされ、並びに開放溝１３１内にあって操作を受けてスライドする。該ボタン１６の構造は複数の平面を具え８図７も参照されたい）、そのうち、ボタン１６の上面１６４と中座カバー１１の溝面１１８ｂは接触し、ボタン１６の圧接面１６２と中座カバー１１のスライド面１１８ａが接触し、ボタン１６の側壁面１６１ａと中座カバー１１の側面１１６ａが接触し、ボタン１６の別の側壁面１６１ｂと中座カバー１１の別の側面１１６ｂが接触し、ボタン１６の押圧面１６７は使用者の手指による押圧に供され、ボタン１６の案内柱１６５と中座カバー１１のＵ形溝１１９ａが接触し、こうしてボタン１６が中座カバー１１と底座１３が構成する開放溝１３１内をスライド可能とされる。
【００２０】
ボタン１６がスライドする力は使用者の手指の押圧力と回復バネ１７の弾力に由来し、回復バネ１７はコイル状構造を有し、並びにボタン１６の案内柱１６５に嵌合され、回復バネ１７の前端１７１は当接される。
【００２１】
中座カバー１１の当接面１１９（図７）において、回復バネ１７の後端１７２がボタン１６の当接面１６６に当接し、バネの固定端１７３がボタン１６の孔１６８内に挿入され、ボタン１６が手指で押動され前向きに移動して回復バネ１７を圧縮すると、回復バネ１７が外向きの弾力を発生し、手指の押圧力が解除されると、ボタン１６は回復バネ１７の発生する外向きの弾力の作用下で後ろ向きに移動する。
【００２２】
ダブルボタン１８が中座カバー１１に組付けられ、電極バネ１９がカバー板１４内側壁面の凹溝１４４ａと１４４ｂ内に組付けられた後、更に全体が中座カバー１１に組付けられ、更に弾性部品１５が組付け得られ、ボタン１６に回復バネ１７が組付けられた後、併せて中座カバー１１に組付けられ、回路基板１０が関係部品組付け後に中座カバー１１の底部に組付けられ、最後に底座１３が組付けられる。底座１３と中座カバー１１の結合は位置決め柱１３２ａ、１３２ｂ、１３２ｃ、１３２ｄ（図８）と中座カバー１１の位置決めの後、さらに底座１３の二つの係止部１３３ａと１３３ｂの中座カバー１１の二つの係止部１１１ｃと１１１ｄとの係合、そして中座カバー１１の二つのネジ柱１１１ｅと１１１ｆと底座１３のネジ止め部１３４ａと１３４ｂにネジが通されることにより達成され、こうして各部品が組み合わされて製品が完成する。
【００２３】
この製品は無線電気信号を使用してコンピュータとのデータ伝送を実現する製品であり、ゆえに、この製品の回路は信号発生回路、信号発射回路と信号受診回路等の回路で組成された全体回路システムを具え、この全体回路システムは電池により電力が提供され、電池使用完了後には電池を交換する必要がある。
【００２４】
この製品の中座カバー１１には二つの電池収容溝１１１ａと１１１ｂがあり、製品使用時に、電池２０、２１がそれぞれこの二つの電池収容溝１１１ａと１１１ｂ内に収容され、この時、カバー板１４は閉じ合わされる（図１及び図１０参照）。カバー板１４の閉じ合わせ機能の実現は、前述のカバー板１４の二つの軸孔１４１ａ、１４１ｂと中座カバー１１の二つの固定柱１１０ａと１１０ｂの組合せによりカバー板１４が回転する効果を発生することにより達成され、カバー板１４のもう一端の固定はカバー板１４の二つの係止部１４５ａと１４５ｂがボタン１６の係止溝１６３内に係止されることにより達成される。こうしてカバー板１４がしっかりと固定され、電池２０、２１が電池収容溝１１１ａと１１１ｂ内に収容、位置決めされ、並びに回路が導通することで、全体の回路装置作業に必要な電気エネルギーが供給される。
【００２５】
電池が使用済みとなり、電池交換が必要な時は、手指でボタン１６を押すと、ボタン１６が所定の行程を圧入され、並びに回復バネ１７が圧縮され、カバー板１４の係止部１４５ａと１４５ｂがボタン１６の係止溝１６３内より離脱し、カバー板１４の後端が圧力を失い弾性部品１５の弾力作用により、弾性部品１５のカバー板接触セクション１５１により押動され上向きにカバー板１４が開放される（図９及び図１１）。
【００２６】
カバー板１４が開放された時、電池２０、２１を中座カバー１１の電池収容溝１１１ａと１１１ｂ内より取り出すことができ、更に新しい電池を電池収容溝１１１ａと１１１ｂ内に挿入することができる。その後、手指でカバー板１４を押すと、カバー板１４は中座カバー１１の固定柱１１０ａと１１０ｂの構成する軸心を以て下向きに回転し、同時に弾性部品１５を圧縮し、カバー板１４が一定の角度に回転した時、カバー板１４の係止部１４５ａと１４５ｂの斜面１４６ａと斜面１４６ｂがボタン１６の斜面１６９を通過して圧迫し、ボタン１６に中座カバー１１と底座１３の構成する開放溝１３１内で回復バネ１７を圧縮させて前向きに移動させ、カバー板１４が最後まで押された時、カバー板１４の係止部１４５ａと１４５ｂがボタン１６の係止溝１６３内に係合し、ボタン１６が回復バネ１７の弾力作用下で後ろ向きに移動してカバー板１４を係止し、全体の電池交換の過程が完成する。
【００２７】
上述の電池交換の過程中にあって、工具は不要で、且つ部品を取り外す必要がなく、このため便利で、快速で、安全であり、これが本考案の長所である。
【００２８】
以上の実施例は本考案を具体的に説明するために提示されたものであり、本考案の範囲を限定するためのものではなく、以上の説明及び図面の記載に基づきなしうる細部の修飾或いは改変は、いずれも本考案の請求範囲に属するものとする。
【図面の簡単な説明】
【００２９】
【図１】本考案の本考案の止め合わせ装置を配置したコンピュータマウスの立体図である。
【図２】図１のコンピュータマウスの関係部品分離時の立体分解図である。
【図３】図２のカバー板の底面立体図である。
【図４】図２の中座カバーの後面立体図である。
【図５】図２の中座カバーの底面立体図である。
【図６】図２の中座カバーの別の底面立体図である。
【図７】図２のボタンの別の立体図である。
【図８】図２の底座の上面視立体図である。
【図９】本考案のカバー板の上向き開放時の立体図である。
【図１０】図１の１０−１０断面図である。
【図１１】図９の１１−１１断面図である。
【符号の説明】
【００３０】
１０  回路基板
１１  中座カバー
１１ａ  電池出入側
１１０ａ、１１０ｂ  固定柱
１１１  中座凸体
１１１ａ、１１１ｂ  電池収容溝
１１１ｃ、１１１ｄ  係止部
１１１ｅ、１１１ｆ  ネジ柱
１１２ａ、１１２ｂ  位置制限角
１１４  斜面
１１５  孔
１１６ａ  側面
１１６ｂ  側面
１１８ａ  スライド面
１１８ｂ  溝面
１１９  当接面
１１９ａ  Ｕ形溝
１３  底座
１３１  開放溝
１３２ａ、１３２ｂ  位置決め柱
１３２ｃ、１３２ｄ  位置決め柱
１３３ａ、１３３ｂ  係止部
１３４ａ、１３４ｂ  螺子止め部
１４  カバー板
１４１ａ、１４１ｂ  軸孔
１４２ａ、１４２ｂ  延伸アーム
１４３  溝
１４４ａ、１４４ｂ  凹溝
１４６ａ、１４６ｂ  斜面
１５  弾性部品
１５１  カバー板接触セクション
１５２  パワーアームセクション
１５３  挿入位置決め端
１５４  コイル状構造
１６  ボタン
１６１ａ  側壁面
１６１ｂ  側壁面
１６２  当接面
１６３  係止溝
１６４  上面
１６５  案内柱
１６６  当接面
１６７  押圧面
１６８  孔
１６９  斜面
１７  回復バネ
１７１  前端
１７２  後端
１７３  固定端
１８  ダブルボタン
１９  電極バネ
２０、２１  電池
【図１】
0003108965.tif 000003
【図２】
0003108965.tif 000004
【図３】
0003108965.tif 000005
【図４】
0003108965.tif 000006
【図５】
0003108965.tif 000007
【図６】
0003108965.tif 000008
【図７】
0003108965.tif 000009
【図８】
0003108965.tif 000010
【図９】
0003108965.tif 000011
【図１０】
0003108965.tif 000012
【図１１】
0003108965.tif 000013